(57)【要約】【課題】パルスジェット式集塵機の制御盤内に設けられたフィルターを自動でこまめに清掃するパルスジェット式集塵機を提供する。【解決手段】パルスジェット式集塵機は、ヘッダーパイプ２とエアバルブ３を介して連通するマニホールド４からフィルターバグ１にパルスジェットを作用させて堆積ダストの払い落としを行う。このパルスジェット式集塵機は、エアバルブ３と、エアバルブ３に接続された電磁弁７と、制御盤１０を備える。エアバルブ３の開閉は、電磁弁７によって行われる。制御盤１０は、排熱ファン１３と、外気導入口１４と、外気導入口１４より流入した外気の塵埃を取り除くフィルター１５を有する。電磁弁７を制御盤１０内部のフィルター１５の側方に取り付ける。エアバルブ３を開く時に電磁弁７から圧縮空気が排気される。その圧縮空気をフィルター１５に吹き付ける。【選択図】        図２
2014151287.tif 000002
【特許請求の範囲】
【請求項１】
パルスジェットをフィルターバグに作用させて堆積ダストの払い落としを行うパルスジェット式集塵機において
エアバルブと、
前記エアバルブに接続された電磁弁と、
制御盤と、を備え、
前記制御盤は、排熱ファンと、
外気導入口と、
前記外気導入口より流入した外気が通過するフィルターと、を有し、
前記電磁弁を前記制御盤の内部に設け、該電磁弁から排出される圧縮空気を前記フィルターに吹き付けることを特徴とするパルスジェット式集塵機。
【請求項２】
前記フィルターへの吹き付けが堆積ダストの払い落としと同時に行うことを特徴とする請求項１に記載のパルスジェット式集塵機。
【請求項３】
前記電磁弁を前記フィルターから５〜１００ｍｍ隔てて設けることを特徴とする請求項１または請求項２に記載のパルスジェット式集塵機。
【請求項４】
前記電磁弁を１〜８個設けることを特徴とする請求項１ないし請求項３のいずれか１つに記載のパルスジェット式集塵機。
【請求項５】
前記圧縮空気の圧力が０．２〜０．７ＭＰａであることを特徴とする請求項１ないし請求項４のいずれか１つに記載のパルスジェット式集塵機。
【発明の詳細な説明】
【技術分野】
【０００１】
本発明は、圧縮空気をフィルターバグ内部に強制的に噴射することによってフィルターバグに付着、堆積したダストを払い落すパルスジェット式集塵機に関する。
【背景技術】
【０００２】
従来から、パルスジェット式集塵機には、ヘッダーパイプにエアバルブを介して連通するマニホールドからのパルスジェットをフィルターバグに作用させて堆積ダストの払い落としを行うようにしたものがある。前記エアバルブには、このバルブの開閉をするための電磁弁が設けられている。この電磁弁は、特許文献１のように配管を介してキャビネット外部に取り付けられたり、エアバルブと一体に取り付けられたりしている。
【０００３】
また、パルスジェット式集塵機には、この集塵機に組み込まれた各種電装部品等を制御する制御盤が設けられている。この制御盤には、制御盤内部の制御部品から発せられる熱を外部に排熱するための排熱ファンと外気を取り込むための外気導入口が制御盤ケースに設けられている。さらに、制御盤内部の外気導入口付近には、外気導入口から流入した外気の塵埃を取り除くためのフィルターが取り付けられている。
【先行技術文献】
【特許文献】
【０００４】
【特許文献１】特開２００７−１７５６３５号公報
【発明の概要】
【発明が解決しようとする課題】
【０００５】
パルスジェット集塵機の制御盤内に取り付けられたフィルターは、外気を取り込めるようにするためこまめに清掃しなければならない。フィルターの清掃を怠った場合は、制御盤内部に外気を取り入れることが難しくなり、制御盤の放熱に問題が生じ、最悪の場合には、制御部品が破損するといった問題があった。
【０００６】
本発明は、上記の問題を解決するためになされたもので、その目的は、制御盤内に設けられたフィルターを自動でこまめに清掃するパルスジェット式集塵機を提供することにある。
【課題を解決するための手段】
【０００７】
上記の目的を達成するために本発明におけるパルスジェット式集塵機は、パルスジェットをフィルターバグに作用させて堆積ダストの払い落としを行うパルスジェット式集塵機において、エアバルブと、前記エアバルブに接続された電磁弁と、制御盤と、を備え、前記制御盤は、排熱ファンと、外気導入口と、前記外気導入口より流入した外気が通過するフィルターと、を有し、前記電磁弁を前記制御盤の内部に設け、該電磁弁から排出される圧縮空気を前記フィルターに吹き付けることを特徴とする。
【発明の効果】
【０００８】
このように構成したパルスジェット式集塵機は、電磁弁からエアバルブの圧力作動室に充填された圧縮空気を制御盤内のフィルターに吹付けることで、フィルターを自動でこまめに清掃することができる。これにより制御盤内に外気を取り入れることができ、制御部品が破損する恐れを低減できる。さらに、フィルターの清掃は自動で行われるため、作業者のメンテナンスする頻度を低減できる。
【図面の簡単な説明】
【０００９】
【図１】本発明のパルスジェット式集塵機の全体図である。
【図２】本発明のパルスジェット式集塵機の制御盤を示す説明図である。図２（Ａ）は正面図及び側面図、図２（Ｂ）は図２（Ａ）のＡ−Ａ断面図である。
【図３】本発明のパルスジェット式集塵機の電磁弁とエアバルブの関係を示した説明図である。
【発明を実施するための形態】
【００１０】
以下、本発明の一実施形態を図１〜図３に基づき説明する。まず、本発明のパルスジェット式集塵機の全体の構成について説明する。本発明のパルスジェット式集塵機は、図１に示すようにフィルターバグ１が取り付けられているキャビネット内部にヘッダーパイプ２とマニホールド４がエアバルブ３を介して連通している。そして、マニホールド４からのパルスジェットをフィルターバグ１に作用させて堆積ダストの払い落としを行うように構成してある。また、フィルターバグ１の上部には外気を給排気するためのファン５が駆動モータ６に連結されて組み付けられている。さらに、キャビネットの側面には制御盤１０が取り付けられている。なお、エアバルブ３は、例えば１〜６０個、設けられる。
【００１１】
次に、制御盤１０の構成について図２に基づき説明する。図２（Ａ）に示すように制御盤ケース１１にパルスジェット式集塵機の動作を制御するための制御部品１２が格納されている。制御盤ケース１１の上部には、制御部品１２から発せられる熱を外部に排気するための排熱ファン１３が取り付けられている。そして、制御盤ケース１１の側面には外気を取り入れるための外気導入口１４が設けられている。また、制御盤ケース１１の内部で外気導入口１４には、取り込まれた外気の塵埃を取り除くためのフィルター１５が取り付けられている。さらに、制御盤ケース１１内でフィルター１５の側方には、電磁弁７が取り付けられている。この電磁弁７は、例えば１〜８個、取り付けられる。なお、電磁弁７は２ポート２位置弁で、通常時閉形のものである。電磁弁７は、出口側を図２（Ｂ）のようにフィルター１５に向けて取り付けられている。一方、電磁弁７の入口側は制御盤ケース１１の下部に設けられた接続口１６にチューブ８によって接続されている。さらに、接続口１６は、チューブ８によりキャビネット内部のエアバルブ３に接続されている。そして、電磁弁７によって、エアバルブ３の開閉が行われる。なお、制御盤１０内に取り付ける電磁弁７は、エアバルブ３の開閉を行うための電磁弁全てでなくてもよい。また、１個の電磁弁で複数のエアバルブ３を開閉させるようにしてもよい。
【００１２】
次に、本発明のパルスジェット式集塵機の動きについて説明する。制御盤の電源を入れ、始動スイッチ押すと、モータ６が起動し、ファン５が回転する。ファン５が回転すると、図示しない吸引口から含塵ガスを吸引する。吸引された含塵ガスは、フィルターバグ１を通過する。フィルターバグ１を通過する際に含塵ガスに含まれる塵埃がフィルターバグ１に捕集され、清浄された空気が図示しない排気口から排気される。
【００１３】
また、制御盤１０では、電源を入れると排熱ファン１３が回転する。排熱ファン１３が回転することで、制御盤ケース１１内部の空気が外部に排気され、外気導入口１４から外気が流入する。流入した外気はフィルター１５を通過し、制御盤ケース１１の内部に取り込まれる。外気がフィルター１５を通過する際に、外気の塵埃が捕集され、取り除かれる。なお、排熱ファン１３は、制御盤１０の電源が切られるまで回転し続ける。
【００１４】
フィルターバグ１に捕集された堆積ダストの払い落としは定期的に行われる。定期的とは、例えば３分間隔などの一定の間隔、又は、フィルターバグにダストが蓄積し、流通抵抗が所定値に到達したことを検知したときなどである。払い落としは、機外からヘッダーパイプ２に供給され貯留されている圧縮空気が、エアバルブ３が開かれることで、マニホールド４に送られ、そしてフィルターバグ１に噴射されることで行われる。ヘッダーパイプ２には、例えば０．２〜０．７ＭＰａの圧縮空気が供給されている。
【００１５】
エアバルブ３の開閉と電磁弁７の関係についてより詳しく説明する。図３は、電磁弁７とエアバルブ３の関係を示した図である。電磁弁７が閉じてられているとき、エアバルブ３は、ヘッダーパイプ２の圧縮空気がダイヤフラム３２のサプライオリフィス３３を通じ圧力作動室３１に充填され、ヘッダーパイプ２と圧力作動室３１の圧力が同じとなり、ダイヤフラム３２が押さえつけられ、ダイヤフラム３２と一体の主弁３４は閉じられた状態となっている。電磁弁７に通電すると電磁弁７が開き電磁弁７とエアバルブ３を接続しているチューブ８内及びエアバルブ３の圧力作動室３１の圧縮空気が大気に放出される。これによりエアバルブ３の圧力作動室３１内の圧力は下がり、ダイヤフラム３２が押し上げられ、主弁３４が開く。このようにしてヘッダーパイプ２からマニホールド４へ圧縮空気が送られる。電磁弁７への通電は、例えば５０〜２００ｍｓｅｃだけ行われる。
【００１６】
電磁弁７の出口は制御盤１０内のフィルター１５に向けて取り付けてあるため、電磁弁７の出口から放出される圧縮空気は、フィルター１５に吹き付けられる。この吹き付けによりフィルター１５で捕集された塵埃が外気導入口１４より制御盤の外に払い落とされる。電磁弁７からフィルター１５への吹き付けの間隔は、フィルターバグ１に捕集された堆積ダストの払い落としと同時に行われる。
【００１７】
電磁弁７の出口とフィルター１５との距離は、払い落とし効果から５〜１００ｍｍ程度が好ましい。また、フィルター１５へ吹き付けられる圧縮空気の圧力は、０．２〜０．７ＭＰａで、これはヘッダーパイプ２に供給されている圧縮空気とほぼ同じである。
【００１８】
以上のように本発明のパルスジェット式集塵機は、制御盤内のフィルター１５を自動でこまめに清掃することができる。これにより制御盤内に外気を取り入れることができ、制御部品が破損する恐れが低減される。さらに自動でフィルター１５の清掃は行われるため、作業者のメンテナンスする頻度も低減することができる。また、フィルター１５を清掃するための圧縮空気は、従来、ただ外部に放出していたものを利用するため、効率的である。
【符号の説明】
【００１９】
３  エアバルブ
７  電磁弁
１０  制御盤
１３  排熱ファン
１４  外気導入口
１５  フィルター
【図１】
2014151287.tif 000003
【図２】
2014151287.tif 000004
【図３】
2014151287.tif 000005